(57)【要約】【課題】  携帯電話端末を手袋に利用した手袋型携帯電話端末において、片手でのキー操作及び通話が行えるようにする。【解決手段】  携帯電話端末と手袋を一体化した手袋型携帯電話端末において、少なくとも、手袋の手の甲側親指つけ根付近に配置された表示手段１１３と、手袋の指の側面の親指側に配置されたキー入力手段１１〜１４と、電気信号を音に変換するスピーカと、音を電気信号に変換するマイクロホン１０７とを備えた構成とする。さらに、スピーカとマイクロホン１０７の配置としては、スピーカが、手袋の薬指又は中指又は人差し指のいずれかの手のひら側先端部分に配置され、マイクロホンが、手袋の手首の手のひら側付近に配置されていることが好適である。【選択図】        図１
2006165892.tif 000002
【特許請求の範囲】
【請求項１】
携帯電話端末と手袋を一体化した手袋型携帯電話端末において、
少なくとも、前記手袋の手の甲側親指つけ根付近に配置された表示手段と、
前記手袋の指の側面の親指側に配置されたキー入力手段と、
電気信号を音に変換するスピーカと、
音を電気信号に変換するマイクロホンと
を備えることを特徴とする手袋型携帯電話端末。
【請求項２】
前記スピーカが、前記手袋の薬指又は中指又は人差し指のいずれかの手のひら側先端部分に配置され、
前記マイクロホンが、前記手袋の手首の手のひら側付近に配置されている
ことを特徴とする請求項１記載の手袋型携帯電話端末。
【請求項３】
前記スピーカが、前記手袋の親指手のひら側に配置され、
前記マイクロホンが、前記手袋の小指付近に配置されている
ことを特徴とする請求項１記載の手袋型携帯電話端末。
【請求項４】
前記キー入力手段として、少なくとも前記手袋の人差し指側面に方向指示キーが配置された
ことを特徴とする請求項１記載の手袋型携帯電話端末。
【請求項５】
前記キー入力手段として、さらに前記手袋の中指側面及び／又は薬指側面に数字キーが配置された
ことを特徴とする請求項４記載の手袋型携帯電話端末。
【請求項６】
前記キー入力手段として、前記手袋の人差し指側面にジョグダイアルが配置された
ことを特徴とする請求項１記載の手袋型携帯電話端末。
【発明の詳細な説明】
【技術分野】
【０００１】
本発明は、携帯電話端末を手袋のように身につけて利用できるようにした手袋型携帯電話端末に関する。
【背景技術】
【０００２】
従来、携帯電話端末はポケットや鞄等に入れた状態で持ち運ぶため、使用時には携帯電話端末を取り出す動作が必要となり、迅速な応答・操作ができなかった。この課題を改善するものとして、腕時計型のウェアラブル携帯電話端末が提案されている。
【０００３】
さらに、特許文献１には、手袋を利用した携帯電話端末が開示されている。この携帯電話端末は、超小型電話端末をフィンガーレス手袋の甲部面上に固着させたことを特徴とするものである。
【特許文献１】特開平７−７９２７８号公報
【発明の開示】
【発明が解決しようとする課題】
【０００４】
ところで、上記腕時計型の携帯電話端末のレシーバ、マイクロホン（以下、単に「マイク」という。）は、それぞれ人間の耳、口の位置と対応していないため、通話時、腕時計型携帯電話端末を取り外して通話したり、あるいは不自然な姿勢での通話となっていた、という問題があった。
【０００５】
また、特許文献１に記載のものは、甲部面上の超小型電話端末が折り畳み式であるため、液晶表示板を閲覧するためには、筐体を開くための余分なスペースが必要となり、日常生活上の動作に支障をきたす虞があった。加えて、ボタンキーが甲部面上に配置されているため、手袋をつけた側の反対の手でキー操作する必要があり、片手でのキー操作が不可能であるという不都合があった。
【０００６】
本発明は斯かる点に鑑みてなされたものであり、携帯電話端末を手袋に利用した手袋型携帯電話端末において、片手でのキー操作及び通話が行えるようにすることを目的とする。
【課題を解決するための手段】
【０００７】
上記課題を解決して目的を達成するため、本発明は、携帯電話端末と手袋を一体化した手袋型携帯電話端末において、少なくとも、手袋の手の甲側親指つけ根付近に配置された表示手段と、手袋の指の側面の親指側に配置されたキー入力手段と、電気信号を音に変換するスピーカと、音を電気信号に変換するマイクロホンとを備えることを特徴とする。
【０００８】
上述した構成によれば、表示手段を手袋の手の甲側親指つけ根付近に固着したので、表示手段の表示画面を自然な姿勢で見ることができる。加えて、キー入力手段を各指の親指側側面に配置することで、親指でキー入力手段の操作ができる。
【０００９】
上述の発明において、例えば、上記スピーカが、上記手袋の薬指又は中指又は人差し指のいずれかの手のひら側先端部分に配置され、上記マイクロホンが、手袋の手首の手のひら側付近に配置されていることを特徴とする。もしくは、スピーカが、手袋の親指手のひら側に配置され、マイクロホンが、手袋の小指付近に配置されていることを特徴とする。
【００１０】
上述構成によれば、手袋型携帯電話端末のスピーカとマイクが、それぞれ耳、口に対応するように配置される。
【発明の効果】
【００１１】
本発明によれば、表示手段を手袋の手の甲側親指つけ根付近に固着したので、表示手段の表示画面を自然な姿勢で見ることができる。加えて、キー入力手段を各指の親指側側面に配置することで、親指でキー入力手段の操作ができる。したがって、表示手段とキー入力手段を同時に視認することができ、片手でのキー操作が実現可能となる効果がある。
【００１２】
また、手袋型携帯電話端末のスピーカとマイクを、それぞれ耳、口に対応するように配置したので、従来のように通話時に携帯電話端末を手から外す必要がなく、かつ自然な姿勢で通話することができるという効果がある。
【発明を実施するための最良の形態】
【００１３】
以下、本発明の一実施の形態の例について、図１〜図１５を参照しながら説明する。
本例の手袋型携帯電話端末は、携帯電話端末を、指先部分が裁断されたいわゆるフィンガーレス手袋に適用して、作業性と操作性を両立させたものとなっており、各種携帯電話部品が固着されるインナーフィンガーレス手袋（以下、「インナー手袋」と称する。）と、その上から被せるアウターフィンガーレス手袋（以下、「アウター手袋」と称する。）から構成されている。
【００１４】
図１及び図２は、それぞれ本例の手袋型携帯電話端末を左手にはめたときの手の甲側、手のひら側の外観を示した図である。
手袋型携帯電話端末１のアウター手袋１０は、後述するインナー手袋に被せられて、インナー手袋に固着される携帯電話部品を保護するとともに、手袋型携帯電話端末１の外観となる手袋である。アウター手袋１０の手の甲側親指２０つけ根付近（例えば、中手骨部分）にＬＣＤ（Liquid Crystal Display）等から構成される表示部用の透明板１５を設ける。また、各指の側面部分にキー入力手段を構成するキー入力部を設ける。キー入力部は、親指２０を使って片手での操作が可能なように各指の側面のうち親指側に配置する。本例では、人差し指部分に設けられたものを第１キー入力部、中指部分のものを第２キー入力部、薬指部分のものを第３キー入力部、小指部分のものを第４キー入力部とする。
【００１５】
また、電気信号を音声に変換する受話用スピーカとして機能するレシーバ１０６を親指部分に設けるとともに、主に受話以外の用途、例えば着信音や音楽等を鳴らすのに用いるスピーカ１１６を手首部分の手の甲側に設ける。そして、音声を電気信号に変換するマイク１０７を手の甲側小指付近に設ける。スピーカ１１６は、手首の手の甲側の他、作業時に邪魔とならない、手を動かしやすい等の条件を考慮して、自由に配置することができる。また、図１において、６０は後述する充電用コネクタの挿入口を覆う面ファスナーである。なお、手袋型携帯電話端末１を構成するアウター手袋及びインナー手袋は、手の動きを考慮して伸縮自在かつ可撓性のある生地を用いて製作する。
【００１６】
図３及び図４は、それぞれ手袋型携帯電話端末１のインナー手袋５０の手の甲側、手のひら側の外観を示す図である。
インナー手袋５０は携帯電話部品を固着するとともに、直接手を覆う手袋であり、この上にアウター手袋１０が被せられて縫製される。このインナー手袋５０の手の甲側に、中央演算処理装置等から構成されるメイン基板と二次電池を収納したメイン基板ユニット５５を配置し、このメイン基板ユニット５５と、各キースイッチ部５１〜５４、表示部１１３、レシーバ１０６、スピーカ１１６、マイク１０７をそれぞれ電気的に接続する。各種情報を表示する表示部１１３は、メイン基板からＦＰＣ（Flexible Printed Circuits）コネクタを用いて電接続される。
【００１７】
インナー手袋５０表面に固着されたキー入力手段を構成する各キースイッチ部５１〜５４は、それぞれアウター手袋１０の第１〜第４キー入力部１１〜１４に対応した位置に配置されており、人差し指部分に設けられたものが第１キースイッチ部、中指部分のもの第２キースイッチ部、薬指部分のもの第３キースイッチ部、小指部分のものが第４キースイッチ部とする。例えば、利用者がアウター手袋１０の任意のキー入力部を押下すると、そのキー入力部に対応した位置にあるインナー手袋５０のキースイッチ部のスイッチが押され、そのキースイッチ部の情報が中央演算処理装置１０１に入力され、所定の制御が行われる。
【００１８】
またインナー手袋５０の親指、例えば基節骨（親指の先から１番目と２番目の関節に挟まれた部分）上に、レシーバ１０６、手の甲側小指つけ根部分にマイク１０７を配置する。インナー手袋５０のメイン基板と、各キースイッチ部及びレシーバ１０６などの携帯電話部品を接続する電気コード７０は、各指の手の甲側を伝わらせて配線される。
【００１９】
図１〜図４に示した手袋型携帯電話端末１は、手袋型携帯電話端末１の手のひら側を左頬にあてがうようにして、親指つけ根付近に配置されたレシーバ１０６を左耳に、手の甲側小指つけ根付近に設けられたマイク１０７を口にあてて通話することができる。このように、レシーバ１０６、マイク１０７がそれぞれ耳、口の位置に対応しているので、手袋型携帯電話端末１を装着したまま自然な姿勢での通話が可能である。
【００２０】
図５及び図６は、それぞれインナー手袋５０の斜視図（その１）、（その２）である。上述したように表示部（表示手段）１１３は、利用者が表示画面を視認しやすいように考慮して手の甲側の親指つけ根（中手骨）部分に設けられ、アウター手袋１０に設けられた透明板１５と重なるように配置されている（図５参照）。また、利用者からはキースイッチ部５１〜５４が見えるようになっている（図６参照）。
【００２１】
なお、本例では、手袋の例えば各中手骨と指骨などの関節部分には、巻回部材７１を設け、可撓性を担保している。本例で用いられている巻回部材７１を拡大して、図７に示す。図７に示すように、巻回部材７１は電気コード７０の配線方向とほぼ直交する軸７２を有している。電気コード７０を軸７２に１回巻きつけた後に目的の部品へと配線した場合、電気コード７０の自由度が増し、手の複雑な動きにも柔軟に対応することができる。これにより、断線等の故障を防止できるとともに、手が自由に動かせるようになることで操作性がよくなり、ひいては作業効率を向上させることができる。
【００２２】
図８は、手袋型携帯電話端末１の機能ブロックを示す図である。本例の手袋型携帯電話端末１は、一般的な携帯電話端末と同様の機能を有している。図８において、１０１は制御手段として機能し、ＲＯＭ（Read Only Memory）に記憶されたプログラムに基いて手袋型携帯電話端末１を制御する中央演算処理装置である。１０２は手袋型携帯電話端末１に内蔵された内部メモリであり、読み出し及び書き込み可能なＲＡＭ（Random Access Memory）と、中央演算処理装置１０１を動作させるためのプログラムコードや、Ｄ／Ａ変換器１０４とＡ／Ｄ変換器１０９、及び信号処理装置１０３を動作させるためのプログラムコード等、各種プログラムや、端末のＩＤなどのデータを記憶する、読み出し可能なＲＯＭで構成されている。
【００２３】
また、１０３はデジタル信号値の演算を行う信号処理装置である。１０４，１１４はデジタル信号をアナログ信号に変換するＤ／Ａ変換器である。１０５，１０８，１１５はアナログ信号を増幅する増幅器である。１０９はアナログ信号をデジタル信号に変換するＡ／Ｄ変換器である。１１０はアンテナ１１１を介して基地局（図示せず）との間で音声及びデータの送受信を行う通信装置であり、通話に加え、インターネット接続サービスやＥメールサービスなどを利用することができる。１１２は第１〜第４キースイッチ部５１〜５４からなる操作部、１１３はＬＣＤ等からなる表示部であり、それぞれ図示しないインターフェースを介して中央演算処理装置１０１と接続している。
【００２４】
各部への電源は、メイン基板ユニット５５内の二次電池から供給する。また本例では、中央演算処理装置１０１、信号処理装置１０３、Ｄ／Ａ変換器１０４，１１４、増幅器１０５，１０８，１１５、Ａ／Ｄ変換器１０９、通信装置１１０は、メイン基板ユニット５５のメイン基板上に配置するものとするが、この例に限るものではない。
【００２５】
図８において、信号処理装置１０３には通信装置１１０が接続され、通信装置１１０で受信した受話音等の信号は、信号処理装置１０３からＤ／Ａ変換器１０４及び増幅器１０５を介してレシーバ１０６に出力され、また、通信装置１１０で受信した受話音以外の音や手袋型携帯電話端末１内で発生した音の信号等は、信号処理装置１０３からＤ／Ａ変換器１１４及び増幅器１１５を介してスピーカ１１６に出力され、それぞれ音に変換されて放音される。利用者の通話時の声や周囲の音はマイク１０７で収音され、電気信号に変換される。そして、増幅器１０８とＡ／Ｄ変換器１０９を介してデジタル信号として信号処理装置１０３に入力され、通信装置１１０により外部に出力、又は内部メモリ１０２に記憶される。
【００２６】
本例の手袋型携帯電話端末１について、さらに詳細に説明する。
図９は、手袋型携帯電話端末１の斜視図（その１）であり、利用者の目線から見たときの表示部１１３を表している。図１０は、手袋型携帯電話端末１の斜視図（その２）であり、利用者の目線から見たときの手袋型携帯電話端末１全体を表している。
【００２７】
図９から理解されるように、アウター手袋１０の手の甲側の親指２０つけ根付近に表示部１１３を設けたことにより、表示部１１３の表示画面を、手を必要以上に動かすことなく、軽く視線を落とすだけの自然な姿勢で見ることができる。また、表示部１１３が手の甲側の親指２０つけ根付近に設けられているために、キーを操作する際に表示部１１３が大きく動くことがない。したがって、操作時においても表示部１１３の視認性がよい。さらに、各指の側面に設けられたキー入力部は、親指２０を用いて容易に操作することができる。したがって、操作時にキー入力部と表示部１１３を同時に見ながら操作することができ、片手での操作が可能となる。
【００２８】
手袋型携帯電話端末１の各指のキー入力部のキー配置について、図１１〜図１４を参照して説明する。
図１１は、人差し指２１側面に設けられたキーの配置を示す。図１１の例では、人差し指２１側面の中央部に表示部１１３の画面上に表示されたカーソルを上下左右に移動させる十字キーとその中央部に押しボタンキーを有する方向指示キー１１ａ、その方向指示キー１１ａの左側に発信操作などを行なうキー１１ｂとＥメールキー１１ｃ、右側に通話中止や電源入切用のキー１１ｄとインターネット接続や各種機能を設定するキー１１ｅを設けている。なお、人差し指にキーを配置する場合は、親指との位置関係及び操作性を考慮して、側面からやや下側にかかる位置、つまり人差し指側面と下面の中間である斜めの位置までキーを配置するようにしてもよい。
【００２９】
図１２は、中指２２側面に設けられたキーの配置を示す。図１２の例では、発信操作時などに使用する１〜６の数字キーが配置されている。
【００３０】
図１３は、薬指２３側面に設けられたキーの配置を示す。図１３の例では、７〜９及び０の数字キー、＊及び♯の記号キーが配置されている。
【００３１】
図１４は、小指２４側面に設けられたキーの配置を示す。図１４の例では、入力した電話番号やメール編集時における文字のクリア（削除）に用いるためのキーが配置されている。
【００３２】
このように、手袋型携帯電話端末１の人差し指側面に方向指示キー１１ａとその他の主要なキーを、また中指側面及び薬指側面に数字キーを配置するようにした場合、使用頻度の高いと思われるキーが親指に近い指から、つまり人差し指、中指、薬指、小指の順に配置されるので、使い勝手及び操作性が良くなる。図１４において小指側面に設けられたクリア用のキーは、使用頻度が高いと考えられるので、人差し指側面又は中指側面に配置するようにしてもよい。
【００３３】
図１５は、充電用コネクタの着脱について説明するための図である。メイン基板ユニット５５内の二次電池は、充電用コネクタと接続して、外部から充電用の電源が供給されるように構成されている。図１５Ａは、充電用コネクタ６２の挿入口６１を覆っている面ファスナー６０をはがした状態を表している。一方、図１５Ｂは、充電用コネクタ６２を挿入口６１より挿入して、メイン基板ユニット５５と接続した状態を表している。このように、アウター手袋１０に充電用の挿入口６１を設けることで、インナー手袋５０表面に固着された二次電池を簡単に充電することができる。さらに、面ファスナー６０によって、挿入口６１を塞ぐことによって異物が混入するのを防ぐとともに、デザイン性が向上する。
【００３４】
次に、本発明の他の実施の形態の例について説明する。
本例は、上述した一実施の形態の手袋型携帯電話端末に対して、レシーバとマイクの位置関係を変更したものであり、その他の構成は上述例と同様である。本例のインナー手袋（手のひら側）の外観を、図１６に示す。図１６に示すように、本例ではレシーバ１５１を手のひら側の薬指先端部分に、またマイク１５２を手のひら側の手首付近に配置する。このような構成とした場合、手袋型携帯電話端末の手のひら側を利用者の左頬にあてがうようにして、レシーバ１５１を耳に、マイク１５２を口にあてて通話することができる。なお、レシーバ１５１の位置は、人差し指又は中指の先端部分としてもよい。その他、図１〜図１５を用いて説明した実施の形態の例と同様の作用効果を奏する。
【００３５】
続いて、本発明のさらに他の実施の形態の例について説明する。
本例は、上述した一実施の形態の手袋型携帯電話端末に対して、レシーバとマイクの位置関係を変更したものであり、その他の構成は上述例と同様である。本例のインナー手袋の外観を、図１７に示す。図１７に示すように、本例ではレシーバ１６１を手のひら側の親指（例えば基節骨部分）に、またマイク１６２を手のひらの小指寄り（中手骨部分）に配置する。このような構成とした場合、親指を伸ばして手を握り、手袋型携帯電話端末の手のひら側を利用者の左頬にあてがうようにして、レシーバ１６１を耳に、マイク１６２を口にあてて通話することができる。その他、図１〜図１５を用いて説明した実施の形態の例と同様の作用効果を奏する。
【００３６】
上述したこれらの実施の形態の例によれば、表示部の位置が利用者の手の甲側親指つけ根付近となるようインナー手袋に設置したので、表示部の表示画面を自然な姿勢で見ることができる。加えて、キー入力部（キースイッチ部）を各指の親指側側面に配置することで、親指でキー入力部の操作ができるとともに、表示部とキー入力部を同時に視認することができ、片手でのキー操作が実現可能となる。
【００３７】
また、手袋型携帯電話端末のレシーバとマイクが、それぞれ耳、口に対応するように配置したので、従来のように通話時に携帯電話端末を手から外す必要がなく、かつ自然な姿勢で通話することができる。
【００３８】
また、手袋型携帯電話端末を使用することにより、携帯電話端末を常に身につけることができ、従来のようにポケットや鞄などから携帯電話端末を取り出す煩わしさがなく、使いたいと思ったときに迅速に使用することができる。
【００３９】
また、例えばジョギング、サイクリング、ドライブ、スポーツなどを行っている最中であっても、手袋型携帯電話端末であればその身から離す必要がなく、常に身につけていられるので、迅速に応答・操作が行える。
【００４０】
また、手袋型携帯電話端末の手袋のデザインにフィンガーレス手袋を採用した場合、手袋型携帯電話端末を手にはめたまま、すなわち携帯電話端末を身につけた状態で容易に他の作業、例えばパーソナルコンピュータのキー入力などの手指の動作を行なうことができる。
【００４１】
なお、上述した実施の形態において、図１及び図３に示すマイク１０７は手の甲側小指付近に、図１７に示すマイク１６２は手のひら側小指付近に配置するようにしたが、この例に限るものではない。すなわち、通話時に手袋型携帯電話端末を頬にあてたとき、マイクが利用者の口の近くに位置するように配置されていればよい。したがって、例えば手の小指付近の側面部に、または手の小指付近側面部の手の甲寄りに、あるいは手の小指付近側面部の手のひら寄りに配置してもよい。
【００４２】
また、上述した実施の形態の手袋型携帯電話端末において、人差し指側面部のキー入力部にジョグダイアルを配置し、この人差し指側面のジョグダイアルだけで全ての操作が行えるようにしてもよい。この場合、手を閉じた状態又は人差し指だけ開いた状態でキー操作が行えるので、手を開くなどの無駄な手の動きがなくなり使い勝手がよい。ジョグダイアルとしては、操作方向に対して回転軸がほぼ垂直なものと、操作方向と回転方向が同一なもの（特にジョグシャトルダイアルなどとも呼ばれる）がある。
【００４３】
また、上述した実施の形態で使用されたレシーバ又はマイクに替えて、それぞれ骨伝導式のレシーバ又はマイクを用いてもよい。この場合、例えば作業場のように周囲が騒がしい場所であっても、骨伝導によって良好に通話することができる。
【００４４】
また、上述した実施の形態における受話用のレシーバと、主に受話音以外の音を鳴らすスピーカを、一つのスピーカで共用する構成としてもよい。
【００４５】
さらに、上述した実施の形態の手袋型携帯電話端末に、ＩＣカード機能を搭載してもよい。例えば、インナー手袋の手の甲部又は手のひら部に、非接触ＩＣカード機能部を固着する。この非接触ＩＣカード機能部は、例えばアンテナが接続された課金データ制御部を有し、リーダ・ライタとの間で、数ｃｍ程度の非常に近接した距離での近接無線通信を行う。この近接無線通信を行う際には、リーダ・ライタ側からの電波を受信して得られる電力を用いて、課金データ制御部を作動させることも可能であるが、手袋型携帯電話端末内の電源回路から供給される電源で、課金データ制御部を作動させるようにしてもよい。このように構成することにより、手袋型携帯電話端末の手の甲側又は手のひら側をリーダ・ライタにかざすだけで、認証処理が行えるので使い勝手がよく、磁気カード等のように逐一取り出す手間を省くことができる。
【図面の簡単な説明】
【００４６】
【図１】本発明の一実施の形態の外観（手の甲側）を示した図である。
【図２】本発明の一実施の形態の外観（手のひら側）を示した図である。
【図３】本発明の一実施の形態によるインナー手袋（手の甲側）を示した図である。
【図４】本発明の一実施の形態によるインナー手袋（手のひら側）を示した図である。
【図５】本発明の一実施の形態によるインナー手袋の斜視図（その１）である。
【図６】本発明の一実施の形態によるインナー手袋の斜視図（その２）である。
【図７】本発明の一実施の形態による巻回部材を拡大した図である。
【図８】本発明の一実施の形態の機能ブロック図である。
【図９】本発明の一実施の形態の斜視図（その１）である。
【図１０】本発明の一実施の形態の斜視図（その２）である。
【図１１】本発明の一実施の形態による人差し指側面に配置されたキー入力部を示す図である。
【図１２】本発明の一実施の形態による中指側面に配置されたキー入力部を示す図である。
【図１３】本発明の一実施の形態による薬指側面に配置されたキー入力部を示す図である。
【図１４】本発明の一実施の形態による小指側面に配置されたキー入力部を示す図である。
【図１５】本発明の一実施の形態による充電用コネクタの説明に供する図である。
【図１６】本発明の他の実施の形態によるインナー手袋上のレシーバ及びマイクの配置を示した図である。
【図１７】本発明のさらに他の実施の形態によるインナー手袋上のレシーバ及びマイクの配置を示した図である。
【符号の説明】
【００４７】
１…手袋型携帯電話端末、１０…アウター手袋、１１…第１キー入力部、１２…第２キー入力部、１３…第３キー入力部、１４…第４キー入力部、１５…透明板、５０…インナー手袋、５１…第１キースイッチ部、５２…第２キースイッチ部、５３…第３キースイッチ部、５４…第４キースイッチ部、１０６，１５１，１６１…レシーバ、１０７，１５２，１６２…マイク、１１３…表示部、１１６…スピーカ
【図１】
2006165892.tif 000003
【図２】
2006165892.tif 000004
【図３】
2006165892.tif 000005
【図４】
2006165892.tif 000006
【図５】
2006165892.tif 000007
【図６】
2006165892.tif 000008
【図７】
2006165892.tif 000009
【図８】
2006165892.tif 000010
【図９】
2006165892.tif 000011
【図１０】
2006165892.tif 000012
【図１１】
2006165892.tif 000013
【図１２】
2006165892.tif 000014
【図１３】
2006165892.tif 000015
【図１４】
2006165892.tif 000016
【図１５】
2006165892.tif 000017
【図１６】
2006165892.tif 000018
【図１７】
2006165892.tif 000019